(57)【特許請求の範囲】
【請求項１】
液透過性の表面シート、液不透過性の第１防漏シート、及び両シート間に介在された液保持性の吸収体を備えた実質的に縦長の吸収性物品において、
前記第１防漏シートは、通気性を有しており、
前記吸収体の長手方向の両側部に左右一対の液不透過性の第２防漏シートが配されており、
前記吸収体の非肌当接面側における長手方向の少なくとも中央部には、前記第２防漏シートが存在しておらず、
前記第２防漏シートは、その長手方向に沿う一方の縁部が、前記吸収体の肌当接面側において該吸収体と前記表面シートとの間に位置し、他方の縁部が、該吸収体の非肌当接面側において該吸収体と前記第１防漏シートとの間に位置するように、配されており、
前記吸収体の非肌当接面側において、前記第２防漏シートと前記第１防漏シートとの間が接着剤を介して接合されている吸収性物品。
【請求項２】
前記吸収体の肌当接面側において、前記表面シートと前記第２防漏シートとが接合されている請求項１に記載の吸収性物品。
【請求項３】
前記吸収体の非肌当接面側において、前記第２防漏シートと該吸収体とが接着剤を介して接合されている請求項１又は２記載の吸収性物品。
【請求項４】
前記吸収体の肌当接面側において、前記表面シート、前記第２防漏シート及び前記吸収体が、エンボス加工により接合され一体化されている請求項２又は３記載の吸収性物品。
【発明の詳細な説明】
【０００１】
【発明の属する技術分野】
本発明は、生理用ナプキン、使い捨ておむつ、失禁パッド、パンティライナー、ペット用シート等の吸収性物品に関し、より詳しくは、着装内のムレが防止され且つ吸収した液が漏れない吸収性物品に関する。
【０００２】
【従来の技術及び発明が解決しようとする課題】
吸収性物品の防漏シートを透湿化し、着用中の濡れ感、ムレ感を無くすと共に皮膚の含水膨潤を抑制して皮膚トラブルの発症を抑える手法は、生理用ナプキン、ベビー用おむつ、大人用おむつ、失禁パッド、パンティライナー等の分野で用いられている。この方法によれば水蒸気が吸収性物品の外に排出され、着装内の湿度を低下させることができるが、吸収した経血等が漏れ易くなり、特に多量の液体を吸収した場合に液漏れを生じる恐れがあった。
【０００３】
従って、本発明は、吸収した液の液漏れ防止機能と透湿機能とが両立された吸収性物品を提供することを目的とする。
【０００４】
【課題を解決するための手段】
本発明は、液透過性の表面シート、液不透過性の第１防漏シート、及び両シート間に介在された液保持性の吸収体を備えた実質的に縦長の吸収性物品において、前記第１防漏シートは、通気性を有しており、前記吸収体の長手方向の両側部に左右一対の液不透過性の第２防漏シートが配されており、前記吸収体の非肌当接面側における長手方向の少なくとも中央部には、前記第２防漏シートが存在しておらず、前記第２防漏シートは、その長手方向に沿う一方の縁部が、前記吸収体の肌当接面側において該吸収体と前記表面シートとの間に位置し、他方の縁部が、該吸収体の非肌当接面側において該吸収体と前記第１防漏シートとの間に位置するように、配されており、前記吸収体の両側部の非肌当接面側において、前記第２防漏シートと前記第１防漏シートとの間が接着剤を介して接合されている吸収性物品を提供することにより上記目的を達成したものである。
【０００５】
【発明の実施の形態】
以下本発明を、その好ましい実施形態に基づき図面を参照しながら説明する。図１及び２に示す本実施形態の生理用ナプキン１は、実質的に縦長の形状をしており、液透過性の表面シート２、液不透過性の第１防漏シート３、及び両シート間に介在された液保持性の吸収体４を備えている。
【０００６】
詳細には、吸収体４は、平面視して略矩形状の縦長形状をしており、その非肌当接面側が第１防漏シート３に当接されて該第１防漏シート３上に載置されている。表面シート２は、装着時に着用者の肌に当接される肌当接面を形成するもので、吸収体４よりも大きい外形寸法を有しており、その長手方向の左右両側縁部は、吸収体４の左右の両側部を覆って吸収体４の非肌当接面側に位置し、その長手方向の両端部は、吸収体の前後の端部４ｂ，４ｂよりも外方に延出している。そして、表面シート２及び第１防漏シート３は、吸収体４の前後の端部４ｂ，４ｂよりも延出する部分において互いにヒートシールにより接合されている。
【０００７】
吸収体４に当接される第１防漏シート３の面上には、接着剤９がスパイラル状に塗布されており、該接着剤９を介して吸収体４の非肌当接面側に第１防漏シート３が接着固定されている。第１防漏シート３の下面にはナプキン１を着用者の着衣に固定するための粘着剤（図示せず）が塗布されており、該粘着剤は剥離紙（図示せず）によって保護されている。
【０００８】
而して、第１防漏シート３は、通気性、好ましくは水蒸気透過性を有している。これにより生理用ナプキン１を装着した場合に着装内の湿度の上昇が防止され、快適な装着感が得られる。
第１防漏シート３の水蒸気透過性の程度は、着装内の湿度の上昇防止の観点から、ＪＩＳ  Ｚ０２０８に従い測定された透湿度（以下、透湿度というときはこの方法により測定されたものをいう）が、好ましくは０．７ｇ／(100cm2 ・24hr）以上、より好ましくは１．０〜５．０ｇ／(100cm2 ・24hr）、特に好ましくは１．５〜３．０ｇ／(100cm2 ・24hr）である。
【０００９】
本実施形態における第１防漏シート３は、液不透過性で且つ通気性、好ましくは水蒸気透過性を有する疎水性のフィルムからなる。斯かるフィルムの好ましい例としては、疎水性の熱可塑性樹脂と、炭酸カルシウム等からなる微小な無機フィラー又は相溶性のない有機高分子等とを溶融混練してフィルムを形成し、該フィルムを一軸又は二軸延伸して得られる多孔性フィルムが挙げられる。
また、第１防漏シート３としては、吸収性物品に従来使用されている、液不透過性で且つ通気性、好ましくは水蒸気透過性を有する各種のシートを用いることができ、例えば、ポリエチレン、ポリエステル、ポリプロピレンや、ポリエチレン−ポリプロピレン複合繊維、ポリエチレン−ポリエステル複合繊維等からなる撥水性の不織布、非相溶性の熱可塑性樹脂同士、具体的にはポリエチレン、ポリエステル、ポリプロピレン、ナイロン、アクリル等から任意に組み合わされた分割型複合繊維からなる撥水性不織布、スパンボンド不織布、メルトブローン不織布からなる撥水性の多層複合不織布、又は上記のシートと該撥水性不織布との複合シート、又は上記シートとポリエチレン、ポリエステル、ポリプロピレンや、ポリエチレン−ポリプロピレン複合繊維、ポリエチレン−ポリエステル複合繊維等からなる親水性不織布との複合シート等が挙げられる。
【００１０】
一般的にずれ止め粘着剤を用いた吸収性物品は、非肌当接面側に当たる液不透過性の第１防漏シート３のフィルム強度によって、ずれ止め粘着剤により、着用者の着衣に固定し、使用後取りはずす際に、粘着剤、もしくは粘着剤と防漏シートの一部が着衣に残る場合がある。斯かる問題を防ぐ観点から、第１防漏シート３は、ＪＩＳ  Ｋ７１２８（Ｂ法）に従い測定された引裂き強度が、ＭＤ方向で２０ｇ以上、ＣＤ方向で１００ｇ以上であることが好ましい。また、吸収性物品の構成としては、上記問題を防ぐ観点から、吸収体４と第１防漏シート３とを、粘着剤が塗布される部分において接着剤で接着固定し一体化することが更に好ましい。
【００１１】
また、生理用ナプキン１における吸収体４の長手方向の両側部４ａ，４ａには、該両側部４ａ，４ａそれぞれを覆うように、左右一対の液不透過性の第２防漏シート５，５が配されている。
第２防漏シート５は、帯状のシートであり、その長手方向に沿う一方の縁部５ａが、吸収体４の肌当接面側に位置し、他方の縁部５ｂが、吸収体４の非肌当接面側に位置するように配されている。そして、吸収体４の非肌当接面側における長手方向の中央部には、第２防漏シート５，５が存在していない。即ち、両第２防漏シート５，５の非肌当接面側に位置された縁部５ｂ，５ｂ同士は離間されている。また、第２防漏シート５は、吸収体４の側部４ａにおいて、該吸収体４と表面シート２との間に配されている。
【００１２】
吸収体４の非肌当接面側に存する、第２防漏シート５，５が存在しない部分の幅、即ち、第２防漏シート５，５の非肌当接面側に位置された縁部５ｂ，５ｂ同士間の幅Ｗ１（図２参照）は、生理用ナプキン１の防漏性及び透湿度を向上させる観点から、１０〜８０ｍｍであることが好ましく、特に２０〜８０ｍｍであることが好ましい。
また、両縁部５ｂ，５ｂ同士は、生理用ナプキン１の長手方向の両端部の接合部１１、即ち、表面シート２と第１防漏シート３との接合部１１においても離間されている。
【００１３】
第２防漏シート５，５の肌当接面側に位置された縁部５ａ，５ａ同士間も離間されており、液を吸収する液吸収面を確保する観点から、該両縁部５ａ，５ａ同士間の幅Ｗ２（図２参照）は、２０〜８０ｍｍ、特に３０〜８０ｍｍであることが好ましい。
また、生理用ナプキン１の防漏性及び透湿度を向上させる観点から、生理用ナプキン１の左右両側端間の幅Ｗ３（図２参照）に対して前記幅Ｗ１は、２０〜９０％であること好ましく、防漏性及び液吸収性を向上させる観点から、生理用ナプキン１の左右両側端同士間の幅Ｗ３に対して前記幅Ｗ２は、３０〜９０％であること好ましい。
【００１４】
第２防漏シート５は、吸収体４の肌当接面側において、表面シート２と接合されている。より具体的には、生理用ナプキン１の肌当接面側には、エンボス加工により、液拡散防止用の溝部６，６が形成されており、第２防漏シート５は、該溝部６，６を形成するためのエンボス加工により、表面シート２及び吸収体４と接合され、これらと一体化されている。
第２防漏シート５が、吸収体４の肌当接面側において、表面シート２と接合されているため、表面シート２を透過した液が、該表面シート２と第２防漏シート５との間を通って、生理用ナプキン１の側部から漏れることが防止される。
また、第２防漏シート５が、前記溝部６，６を形成するためのエンボス加工により、表面シート２及び吸収体４と接合一体化されているため、吸収された液が吸収体内で拡散しても、エンボス加工部で吸収体両側部への液の拡がりを抑制することが可能である。更に多量の液を吸収し、エンボス加工部よりも側部に拡がることがあっても、第２防漏シートにより生理用ナプキンの側部からの漏れを防止できる。
【００１５】
第２防漏シート５は、吸収体４の非肌当接面側において、第１防漏シート３と接合されている。より具体的には、第２防漏シート５は、吸収体４の両側部の非肌当接面側において接着剤７１を介して表面シート２に接合され、更に表面シート２が第１防漏シート３に接着剤７１を介して接合されている。即ち、第２防漏シート５は、表面シート２を介在させて第１防漏シート３と接合されている。
本ナプキン１においては、第２防漏シート５が、吸収体４の非肌当接面側において、第１防漏シートと接合されているため、吸収体４が多量の液を吸収した場合や生理用ナプキン１が大きく変形された場合等においても、吸収体４に保持された液が、生理用ナプキン１の側部から漏れることを阻止できる。
【００１６】
また、第２防漏シート５は、吸収体４の非肌当接面側の面にも接合されている。即ち、第２防漏シート５，５は、その一方の縁部５ｂ，５ｂにおいて、接着剤７２を介して吸収体４の非肌当接面側に接合されている。これにより、生理用ナプキン１の側部からの液漏れが更に効果的に防止される。
【００１７】
第２防漏シート５は、液不透過性であれば、その材質等に特に制限はなく、従来の生理用ナプキンにおいて防漏シートとして使用されている各種のシートを用いることができる。また、第２防漏シート５は、通気性を有することが好ましく、斯かる通気性シートとしては、第１防漏シート３に用い得るものとして上記した多孔性フィルム等が挙げられる。
また、吸収体４，表面シート２、接着剤７１，７２等としては、吸収性物品に従来使用されているものを特に制限なく使用することができる。
【００１８】
本実施形態の生理用ナプキン１は、従来の生理用ナプキンと同様にショーツ等の着衣に固定して使用することができる。
そして、生理用ナプキン１によれば、第１防漏シート３が通気性を有しているため、吸収体４に吸収された液から発生する水蒸気が、吸収性物品の外に排出され、着装内の湿度の上昇が防止される。これにより、濡れ感、ムレ感を無くすことができ、快適な装着感が得られる。
また、第２防漏シート５が所定の箇所に所定の態様で配されているため、吸収体４が多量の液を吸収した場合や生理用ナプキン１が大きく変形された場合等においても、吸収体４に保持された液が、生理用ナプキン１の側部から漏れることがない。
【００１９】
また、吸収体４の非肌当接面側における長手方向の中央部に、第２防漏シート５，５が存在していないため、第２防漏シート５として通気性を有しないシートを用いた場合であっても、着装内の湿度の上昇を抑制することができる。
また、両第２防漏シート５，５の両縁部５ｂ，５ｂ同士が、生理用ナプキン１の長手方向の両端部の接合部１１においても離間しているため、生理用ナプキン１の長手方向の両端部の接合部１１が柔軟であり、装着感に優れている。
尚、生理用ナプキン１においては、肌当接面における液拡散防止用の溝部６，６の内側に更に防漏溝８が形成されており、そのため、吸収した液の拡散を生理用ナプキン１の中央部にて抑制することができ、側部のみならず長手方向前後への液の拡がりを防止することができる。
【００２３】
尚、第２防漏シート５，５は、生理用ナプキンの長手方向の両端部において、その両縁部５ｂ，５ｂ同士が積層等されていても良い。また、本発明は、生理用ナプキンの他、使い捨ておむつ、失禁パッド、パンティライナー、ペット用シート等にも適用することもできる。
【００２４】
【発明の効果】
本発明によれば、吸収した液の液漏れ防止機能と透湿機能とが両立された吸収性物品が提供される。
【図面の簡単な説明】
【図１】本発明の吸収性物品の一実施形態としての生理用ナプキンを示す一部斜視図である。
【図２】図１のＡ−Ａ線断面図である。
【符号の説明】
１  生理用ナプキン
２  表面シート
３  第１防漏シート
４  吸収体
５  第２防漏シート
６  溝部（表面シートと第１防漏シートとの接合部）
【図１】
0003856990.tif 000002
【図２】
0003856990.tif 000003